(57)【特許請求の範囲】
【請求項１】
無線または有線による通信手段を備え、撮像装置に装着可能な照明装置であって、
他の照明装置から送信された発光撮影を行うための発光撮影指示を、前記通信手段を介して他の照明装置から受信する受信手段と、
前記受信した発光撮影指示に応じて装着された撮像装置に撮影指示を送信すると共に、前記通信手段を介して他の照明装置に発光指示を送信する発光指示送信手段と、
画像データを前記発光撮影指示を送信した他の照明装置に送信する画像データ送信手段と、
前記画像データ送信手段で送信する画像データのサイズを決定する決定手段と、
発光手段と、
前記発光手段が発光した後に再度発光可能になるまでの再発光可能時間を算出する算出手段と、を備え、
前記決定手段は、前記算出手段により算出された再発光可能時間と前記画像データ送信手段で画像データを送信する際の転送速度とに基づいて、前記送信する画像データのサイズを決定し、
前記画像データ送信手段は、前記発光手段が発光してから前記再発光可能時間が経過するまでの間に前記発光手段を発光させたときに前記撮像装置で撮影された画像データに基づく画像データを送信することを特徴とする照明装置。
【請求項２】
前記決定手段は、前記画像データ送信手段で画像データが送信される他の照明装置が複数ある場合には、当該複数の照明装置のうち前記再発光可能時間が最も長いものに合わせて前記送信する画像データのサイズを決定することを特徴とする請求項１記載の照明装置。
【請求項３】
前記決定手段により決定されたサイズに基づいて、前記撮像装置で撮影された画像データを圧縮する圧縮手段を更に有し、
前記圧縮手段による画像データの圧縮率の上限が予め設定されていることを特徴とする請求項１または２に記載の照明装置。
【請求項４】
無線または有線による通信手段と、
照明装置から送信された発光撮影を行うための発光撮影指示を、前記通信手段を介して照明装置から受信する受信手段と、
前記受信した発光撮影指示に応じて撮影を行うと共に、前記通信手段を介して照明装置に発光指示を送信する制御手段と、
画像データを前記発光撮影指示を送信した照明装置に送信する送信手段と、
前記送信手段で送信する画像データのサイズを決定する決定手段と、を備え、
前記決定手段は、前記照明装置が発光した後に再度発光可能になるまでの再発光可能時間と前記送信手段で画像データを前記照明装置に送信する際の転送速度に基づいて、前記送信する画像データのサイズを決定し、
前記送信手段は、前記照明装置が発光してから前記再発光可能時間が経過するまでの間に前記発光撮影指示に応じた撮影により得られた画像データに基づく画像データを送信することを特徴とする撮像装置。
【請求項５】
前記決定手段は、前記通信手段により接続された照明装置が複数ある場合には、当該複数の照明装置のうち前記再発光可能時間が最も長いものに合わせて前記送信する画像データのサイズを決定することを特徴とする請求項４記載の撮像装置。
【請求項６】
前記決定手段により決定されたサイズに基づいて、前記撮像装置で撮影された画像データを圧縮する圧縮手段を更に有し、
前記圧縮手段による画像データの圧縮率の上限が予め設定されていることを特徴とする請求項４または５に記載の撮像装置。
【発明の詳細な説明】
【技術分野】
【０００１】
本発明は、照明装置、撮像装置に関し、特に、無線通信により他の照明装置の発光を制御する照明装置、撮像装置に関する。
【背景技術】
【０００２】
カメラから離れた場所に複数のストロボを配置し、無線通信により複数のストロボを制御して同時に発光させ、被写体への適正な露光やストロボの動作を確認することが可能な撮影システムが提案されている（例えば、特許文献１参照）。
【０００３】
また、複数のストロボの発光状態を確認するために、ストロボの発光グループに応じて、テスト発光するまでのディレイ時間を変えるなどのテスト応答の形態を変えるストロボ制御カメラシステムが提案されている（例えば、特許文献２参照）。
【０００４】
また、リモコンからのテスト発光指示情報をカメラで受けて外部ストロボをテスト発光させると共に、テスト発光により得られた画像データをカメラからリモコンに送信し、リモコンで画像を表示するカメラシステムが提案されている（例えば、特許文献３参照）。
【先行技術文献】
【特許文献】
【０００５】
【特許文献１】特開平９−１２００９２号公報
【特許文献２】特許第３９７６９０５号
【特許文献３】特開２０００−３３８５５９号公報
【発明の概要】
【発明が解決しようとする課題】
【０００６】
しかしながら、特許文献１，２では、カメラから複数のストロボの発光制御を行えるものの、個別にストロボの角度調整を行う場合、調整後に逐一カメラに戻って調整結果を確認しないとならない。そのため、撮影者の意図とあわない場合には、再度離れた場所に設置されたストロボに戻って、ストロボの位置や向きの調整をし直す必要があり、手間がかかる。
【０００７】
特許文献３では、リモコンが必須の要素であり、また、撮影者がストロボの位置や向きを両手で作業する際にリモコンが邪魔となり、使い勝手が良いとは言えない。また、従来のストロボシステムは、銀塩フィルム時代に構築されたものであり、フィルムへの露光を行わずにストロボ発光の配光テスト、確認や発光量の積分演算などを行うものである。
【０００８】
本発明は、上記問題に鑑みて成されたものであり、カメラから離れた場所に設置された照明装置の配光確認を容易に行うことができ、撮影者の労力を軽減することができる照明装置、撮像装置を提供することを目的とする。
【課題を解決するための手段】
【０００９】
上記目的を達成するために、請求項１記載の照明装置は、無線または有線による通信手段を備え、撮像装置に装着可能な照明装置であって、他の照明装置から送信された発光撮影を行うための発光撮影指示を、前記通信手段を介して他の照明装置から受信する受信手段と、前記受信した発光撮影指示に応じて装着された撮像装置に撮影指示を送信すると共に、前記通信手段を介して他の照明装置に発光指示を送信する発光指示送信手段と、画像データを前記発光撮影指示を送信した他の照明装置に送信する画像データ送信手段と、前記画像データ送信手段で送信する画像データのサイズを決定する決定手段と、発光手段と、前記発光手段が発光した後に再度発光可能になるまでの再発光可能時間を算出する算出手段と、を備え、前記決定手段は、前記算出手段により算出された再発光可能時間と前記画像データ送信手段で画像データを送信する際の転送速度とに基づいて、前記送信する画像データのサイズを決定し、前記画像データ送信手段は、前記発光手段が発光してから前記再発光可能時間が経過するまでの間に前記発光手段を発光させたときに前記撮像装置で撮影された画像データに基づく画像データを送信することを特徴とする。
【発明の効果】
【００１０】
本発明によれば、カメラから離れた場所に設置されたストロボの照射方向の調整を行う際、調整するストロボの側に撮影者が居ながらテスト発光を行って、撮影された画像を確認することができる。その結果、カメラから離れた場所に設置された照明装置の配光確認を容易に行うことができ、撮影者の労力を軽減することができる。
【図面の簡単な説明】
【００１１】
【図１】本発明の第１の実施形態に係る撮影システムの概略構成を示す図である。
【図２】図１のストロボの後部からみた外観図である。
【図３】図１のストロボとカメラの概略構成を示すブロック図である。
【図４】ストロボの表示パネルに表示される画面の一例を示す図であり、（ａ）はストロボの設定内容、（ｂ）はカメラで撮影された画像である。
【図５】（ａ）はテスト撮影時のストロボ２の動作処理例を示すフローチャート、（ｂ）はテスト撮影時のストロボ１の動作処理例を示すフローチャートである。
【図６】（ａ）〜（ｃ）はストロボ発光時の画像例を示す図である。
【図７】本発明の第２の実施形態に係る撮影システムの概略構成を示す図である。
【図８】図７のストロボ２とカメラ３０の概略構成を示すブロック図である。
【図９】（ａ）はテスト撮影時のストロボ２の動作処理例を示すフローチャート、（ｂ）はテスト撮影時のカメラ３０の動作処理例を示すフローチャートである。
【図１０】ストロボの表示パネルに表示される圧縮画像の一例を示す図である。
【図１１】（ａ）はストロボが発光可能になるまでの電圧と時間の関係を示す図、（ｂ）はストロボが発光可能になるまでの立ち上がり時間のばらつきの一例を示す図である。
【発明を実施するための形態】
【００１２】
以下、本発明の実施の形態を図面を参照して詳細に説明する。
【００１３】
［第１の実施形態］
図１は、本発明の第１の実施形態に係る撮影システムの概略構成を示す図である。
【００１４】
図１に示す撮影システムは、撮像装置であるカメラ１０と、複数の照明装置（以下、単に「ストロボ」とする）１，２，３とで構成される。
【００１５】
メインとなるストロボ１は、カメラ１０に装着されている。サブのストロボ２は、カメラ１０側から見て被写体２０の右側に光が当たるように配置されており、ストロボ３は、被写体２０の左側に光が当たるように配置されている。ストロボ１とストロボ２，３とは、無線により通信可能に接続されている。
【００１６】
撮影者によりカメラ１０のレリーズボタン１１が押し込まれると撮影が行われる。表示部１３には、各種設定の確認画面の他、撮影時の確認用画像が表示される。なお、ストロボの数は図示に限定されるものではない。
【００１７】
図２は、図１のストロボ１の後部からみた外観図である。なお、ストロボ２，３については、原則としてストロボ１と同様の外観を有するが、ストロボ１とは自立用の補助具が取り付けられている点で異なる。
【００１８】
図２において、ストロボ本体１０１には、表示パネル１０５、撮影ボタン１０６、テスト発光撮影ボタン１０７、及びパイロットランプ１０８が配置されている。ストロボ本体１０１には、ジョイント部１０３を介して発光部１０２が取り付けられている。ジョイント部１０３は、ストロボ本体１０１に対して、発光部１０２の照射方向を上下左右に変更することが可能な構成を有する。
【００１９】
表示パネル１０５は、例えば、図４（ａ）に示すように、ストロボの設定内容を表示したり、図４（ｂ）に示すように、カメラ１０で撮影された画像を表示したりすることが可能である。
【００２０】
撮影ボタン１０６は、カメラ１０に本撮影を行わせるための操作手段として機能する。一方、テスト発光撮影ボタン１０７は、カメラ１０にテスト発光撮影を行わせるための操作手段として機能する。
【００２１】
パイロットランプ１０８は、ストロボ内の発光用コンデンサへの充電電圧が発光可能な電圧になった際には緑色に点灯し、フル発光可能な電圧になったときは赤色に点灯する。また、カメラ１０による露光を伴わないテスト発光を行う場合は、このパイロットランプ１０８を押すことにより、ストロボがテスト発光する。一方、撮影ボタン１０６やテスト発光撮影ボタン１０７が押されると、カメラ１０での露光が行われる。
【００２２】
締め付けネジ１１０は、カメラ１０のアクセサリーシューに接続する際の締め付け用のネジ部である。取り付け脚１１１は、カメラ１０のアクセサリーシューに接続する部分である。締め付けネジ１１０及び取り付け脚１１１により、ストロボ１がカメラ１０に装着可能になっている。
【００２３】
図３は、図１のストロボ１とカメラ１０の概略構成を示すブロック図である。なお、本実施形態では、ストロボ２，３についてもストロボ１と同様の構成を有するものとする。
【００２４】
まず、カメラ１０は、レリーズボタン１１と、撮像部１２と、表示部１３と、記録部１４と、ＣＰＵ１５と、ストロボ通信部１６とを備える。
【００２５】
撮像部１２は、ＣＭＯＳやＣＣＤ等の撮像素子や、撮像素子から得られた画像情報を処理するための処理回路等で構成されている。記録部１４は、例えば、ＣＦカードやＳＤカード等の取り外し可能な記憶媒体で構成される。なお、記録部１４は、内蔵されたハードディスクなどであってもよい。
【００２６】
ＣＰＵ１５は、カメラ内の各部の制御を行う。例えば、ストロボ１等との通信制御やレリーズボタン１１の入力検知を行う。また、ＣＰＵ１５は、撮像部１２で撮影された画像データをストロボ２，３に送信したり、表示部１３に表示したり、記録部１４に記録するなどの制御を行う。ストロボ通信部１６は、ＣＰＵ１５がストロボ側と通信するための通信Ｉ／Ｆである。
【００２７】
ストロボ１は、表示パネル１０５と、撮影ボタン１０６と、テスト発光撮影ボタン１０７と、カメラ通信部１１５と、ＣＰＵ１２１と、電池１２２と、発光用コンデンサ１２３と、閃光発光部１２４と、及び無線通信部１２５とを備える。
【００２８】
カメラ通信部１１５は、カメラ１０にストロボ１が装着された際に、ＣＰＵ１２１がカメラ側と通信するための通信Ｉ／Ｆである。ＣＰＵ１２１は、ストロボの制御やカメラ１０との通信、他のストロボとの通信の制御を行う。電池１２２は、主にストロボの閃光発光を行う電源であるが、ストロボ内の各部に電力を供給する電源としても機能する。発光用コンデンサ１２３は、閃光発光部１２４に瞬時に電力を供給するためのコンデンサであり、電池１２２により充電される。閃光発光部１２４は、キセノン管等を内蔵した発光部１０２のメインとなる部分である。無線通信部１２５は、他のストロボと所定の方式（例えば、赤外線通信方式や電波通信方式等）で無線通信を行う。
【００２９】
なお、カメラ１０側も無線通信に対応していれば、カメラ１０内のカメラ通信部１１５を省略して、ストロボ１が無線通信部１２５を介してカメラ側と通信を行うことも可能である。また、カメラ１０に装着されるストロボ１については、他のストロボとの無線通信が可能な構成であればよく、表示パネル１０５を備えていないものでもよい。ストロボ２，３については、他のストロボ（またはカメラ）との間で無線通信による画像データの送受信が可能で且つ画像を表示する部分があれば、どのような構成であってもよい。
【００３０】
次に、図１の撮影システムにおけるテスト撮影時のストロボ１〜３とカメラ１０の動作について図５及び図６を参照して説明する。
【００３１】
図５（ａ）は、テスト撮影時のストロボ２の動作処理例を示すフローチャート、図５（ｂ）は、テスト撮影時のストロボ１の動作処理例を示すフローチャートである。図６（ａ）〜図６（ｃ）は、ストロボ発光時の画像例を示す図である。
【００３２】
通常、撮影者は、カメラ１０のレリーズボタン１１を押して撮影を行う。このとき、ストロボ２の照射方向が不適正であると、図６（ａ）のように、被写体の影が撮影した画像に写り込んでしまうことになる。この場合、撮影者はストロボ２の設置場所まで行って、ストロボ２（の発光部１０２）の照射方向を調整する必要がある。そこで、撮影者は、ストロボ２の設置位置或いはストロボ２の発光部１０２の方向を変えて照射方向を上下左右に調整する。このとき、撮影者は、カメラ１０の設置場所には戻らず、ストロボ２のテスト発光撮影ボタン１０７を押す。
【００３３】
図５（ａ）において、ストロボ２のＣＰＵ１２１は、ストロボ２のテスト発光撮影ボタン１０７が押されたことを検知（ステップＳ６０１でＹＥＳ）すると、ステップＳ６０２へ進む。
【００３４】
ステップＳ６０２では、ストロボ２のＣＰＵ１２１は、無線通信部１２５を介して、カメラ１０に装着されたストロボ１にテスト発光撮影指示を送信する。ここで、ストロボ２のＣＰＵ１２１は、例えばテスト発光撮影指示送信手段として機能する。
【００３５】
図５（ｂ）において、ストロボ１のＣＰＵ１２１は、ストロボ１の無線通信部１２５を介して他のストロボ（ここではストロボ２，３）からテスト発光撮影指示を受信（ステップＳ６１０でＹＥＳ）すると、ステップＳ６１１へ進む。
【００３６】
ステップＳ６１１では、ストロボ１のＣＰＵ１２１は、カメラ通信部１１５を介してカメラ１０にテスト発光撮影指示を伝達する。カメラ１０のＣＰＵ１５は、ストロボ通信部１６を介してテスト発光撮影指示を受けると、テスト発光撮影を行うために、ストロボ通信部１６及びカメラ通信部１１５を介して、ストロボ１のＣＰＵ１２１に発光指示を伝達する。
【００３７】
ステップＳ６１２では、ストロボ１のＣＰＵ１２１は、無線通信部１２５を介してストロボ２，３に発光指示を送信すると共に、ストロボ１の閃光発光部１２４を制御して発光を行う。このとき、ストロボ１のＣＰＵ１２１は、例えば発光指示送信手段として機能する。
【００３８】
また、ステップＳ６１２では、カメラ１０のＣＰＵ１５は、ストロボ１乃至３の発光に同期させて撮像部１２で撮影を行うように制御する。
【００３９】
図５（ａ）において、ストロボ２のＣＰＵ１２１は、ストロボ１からのテスト発光指示に応じて、ストロボ２の閃光発光部１２４を制御して発光を行う。このとき、図示していないが、ストロボ３も同様にして発光を行う。これにより、ストロボ１乃至３が発光すると共に、撮像部１２が撮影動作を行い、テスト発光撮影が行われる。
【００４０】
カメラ１０のＣＰＵ１５は、撮像部１２で撮影された画像データを処理した後、当該画像データをストロボ通信部１６、カメラ通信部１１５を介してストロボ１のＣＰＵ１２１へと送信する。なお、テスト発光撮影指示に基づく撮影動作が行われた場合には撮影ボタン１０６が押された場合と異なり、カメラ１０のＣＰＵ１５は撮像部１２で撮影された画像データを記録部１４に記録しないように制御する。そして、撮像部１２で撮影された画像データは記録部１４に記録されることなく、ストロボ１へ転送される。
【００４１】
図５（ｂ）のステップＳ６１３では、ストロボ１のＣＰＵ１２１は、テスト発光撮影ボタン１０７が押されたストロボ２へのみ画像データを送信すべく、ストロボ１の無線通信部１２５を制御して無線通信により画像データをストロボ２に送信する。このとき、ストロボ１のＣＰＵ１２１は、例えば画像データ送信手段として機能する。
【００４２】
図５（ａ）のステップＳ６０４では、ストロボ２のＣＰＵ１２１は、ストロボ１から送信された画像データをストロボ２の無線通信部１２５で受信して、ストロボ２の表示パネル１０５に表示する。
【００４３】
ここで、先ほどの調整でストロボ２の照射方向が上すぎて被写体２０の足下部の光量が足りないと、ストロボ２の表示パネル１０５には、図６（ｂ）のような画像が表示されることとなる。撮影者は、ストロボ２の表示パネル１０５に表示される画像を確認することで、ストロボ２の照射方向が上すぎることを理解し、さらにストロボ２の発光部１０２の照射方向を下げる方向に調整する。調整が終わった後、撮影者は、再びストロボ２のテスト発光撮影ボタン１０７を押し、テスト発光撮影を行う。そして、上述した動作が再度行われ、ストロボ２の表示パネル１０５には、再度画像が表示される。このとき、ストロボ２の発光部１０２の照射方向が適正であれば、図６（ｃ）のように、影の無い画像を得ることができ、撮影者はストロボ２の調整を終了する。
【００４４】
撮影者がストロボ調整後の画像を記録保存したいと考えた場合、ストロボ２の撮影ボタン１０６を押す。ストロボ２の撮影ボタン１０６が押下されると、ストロボ２のＣＰＵ１２１が、無線通信部１２５を介してストロボ１に撮影指示を無線送信する。ストロボ１は、ストロボ１の無線通信部１２５を介してストロボ２から撮影指示を受信すると、カメラ通信部１１５、ストロボ通信部１６を介して、カメラ１０のＣＰＵ１５に撮影指示を伝達する。撮影指示を受け取ったカメラ１０のＣＰＵ１５は、ストロボ１乃至３の発光制御を行うと共に、撮像部１２により通常の撮影動作を行わせて、取得した画像データを記録部１４に記録する。
【００４５】
本実施形態によれば、カメラから離れた場所に設置されたストロボの向きやバウンス角の調整を行う際、調整するストロボの側に撮影者が居ながらテスト発光を行って、撮影された画像を確認することができる。その結果、カメラの設置場所に戻らなくてもストロボの配光確認ができ、撮影された画像から更なるストロボの照射方向の調整が可能となり、設定時の労力を省力化できる。
【００４６】
なお、本実施形態では、複数のストロボを無線通信により接続した撮影システムについて説明したが、無線接続に限定するものではなく、有線接続であってもよいことは云うまでもない。また、ストロボの台数が３灯の場合について説明したが、３灯以下であっても３灯以上であってもよいことは云うまでもない。
【００４７】
また、上記実施形態では、テスト発光撮影時に複数のストロボ全てを発光させるように構成しているが、テスト発光撮影ボタンが押下されたストロボのみを発光させて、その際にカメラで撮影された画像を当該ストロボの表示パネルに表示するように構成してもよい。
【００４８】
［第２の実施形態］
次に、本発明の第２の実施形態について説明する。
【００４９】
第２の実施形態は、カメラ自体が無線通信機能を有し、カメラから離れた場所にある複数のストロボと無線接続する点が上記第１の実施形態と異なる。
【００５０】
図７は、本発明の第２の実施形態に係る撮影システムの概略構成を示す図である。
【００５１】
図７において、カメラ３０では、カメラ１０と同様に、撮影者によりレリーズボタン１１が押し込まれると撮影が行われる。また、表示部１３には、各種設定の確認画面の他、撮影時の確認用画像が表示される。なお、図示例では、カメラ３０とストロボ２，３とが直接無線通信を行うことを説明するためにカメラ３０にストロボが装着されていないが、ストロボが装着されていてもよい。
【００５２】
図８は、図７のストロボ２とカメラ３０の概略構成を示すブロック図である。
【００５３】
カメラ３０は、図３に示すカメラ１０に対して無線通信部１７が追加されている点が異なる。それ以外については、上記第１の実施形態と同じであり、各部の説明は省略する。
【００５４】
次に、図７の撮影システムにおけるテスト撮影時のストロボ２，３とカメラ３０の動作について図９を参照して説明する。
【００５５】
図９（ａ）は、テスト撮影時のストロボ２の動作処理例を示すフローチャート、図９（ｂ）は、テスト撮影時のカメラ３０の動作処理例を示すフローチャートである。
【００５６】
ストロボ２の発光部１０２の照射方向を調整した後、撮影者は、ストロボ発光時の画像確認のために、ストロボ２のテスト発光撮影ボタン１０７を押す。
【００５７】
図９（ａ）において、ストロボ２のＣＰＵ１２１は、テスト発光撮影ボタン１０７が押されたことを検知（ステップＳ９０１でＹＥＳ）すると、ストロボ２の無線通信部１２５を介して、カメラ３０にテスト発光撮影指示を送信する（ステップＳ９０２）。
【００５８】
図９（ｂ）において、カメラ３０のＣＰＵ１５は、無線通信部１７を介してテスト発光撮影指示を受けると（ステップＳ９１０でＹＥＳ）、テスト発光撮影を行うための動作に入る（ステップＳ９１１）。次に、ステップＳ９１２では、カメラ３０のＣＰＵ１５は、テスト発光撮影を行うため、無線通信部１７を介して、ストロボ２，３にテスト発光指示を送信する。
【００５９】
図９（ａ）のステップＳ９０３では、ストロボ２のＣＰＵ１２１は、カメラ３０からのテスト発光指示に応じて、ストロボ２の閃光発光部１２４を制御して発光を行う。このとき、図示していないが、ストロボ３も同様にして発光を行う。これにより、ストロボ２及び３が発光すると共に、撮像部１２が撮影動作を行い、テスト発光撮影が行われる。
【００６０】
図９（ｂ）のステップＳ９１３では、カメラ３０のＣＰＵ１５は、テスト発光撮影ボタン１０７が押されたストロボ２のみに画像データを送信すべく、撮影された画像データを処理した後、当該画像データを無線通信部１７を介してストロボ２に送信する。なお、テスト発光撮影指示に基づく撮影動作が行われた場合には撮影ボタン１０６が押された場合と異なり、カメラ３００のＣＰＵ１５は撮像部１２で撮影された画像データを記録部１４に記録しないように制御する。そして、撮像部１２で撮影された画像データは記録部１４に記録されることなく、ストロボ２へ転送される。
【００６１】
図９（ａ）のステップＳ９０４では、ストロボ２のＣＰＵ１２１は、ストロボ１から送信された画像データをストロボ２の無線通信部１２５で受信して、ストロボ２の表示パネル１０５に表示する。
【００６２】
このように、本実施形態によれば、カメラから離れた場所にあるストロボの照射方向の調整を行う際、調整するストロボの側に撮影者が居ながら、カメラでの撮影画像を確認して調整することができる。そのため、カメラから離れた位置にあるストロボを使った撮影を効率良く行うことができる。
【００６３】
さらに、カメラが他のストロボと無線通信を行うための通信機能を備えているので、第１の実施形態のように、カメラに無線通信機能付のストロボ１を装着することなく、上記動作を行うことが可能となる。
【００６４】
［第３の実施形態］
次に、本発明の第３の実施形態について説明する。
【００６５】
第３の実施形態は、ストロボまたはカメラ等の外部装置から他のストロボに画像データを圧縮して送信する点が、上記第１の実施形態または上記第２の実施形態と異なる。
【００６６】
撮影環境によっては、ストロボの照射方向の設定を目視で確認することができず手探りとなることも考えられる。そのような場合、例えば、第１の実施形態では、ストロボの調整が２回で済む場合について説明したが、実際は、何度もテスト撮影発光を行わないとならないことが想定される。一方、高画質の画像データをストロボ（またはカメラ）から他のストロボに転送するには、時間がかかるため、素早い確認を行う際に妨げとなる。そこで、本第３の実施形態では、ストロボ側またはカメラ側で画像データを圧縮してから、他のストロボへ圧縮した画像データを送信する。
【００６７】
ストロボの照射方向の確認には、配光が認識できるレベルの画像があればよいので、圧縮率の高い画像であってもよい。圧縮された画像の一例を図１０に示す。高精細な画像ではないが、影が出ていることが撮影者には分かる。転送する画像データの圧縮率は、転送先のストロボの表示性能にもよるので、それらを考慮して設定されるのが好ましい。すなわち、ストロボ１のＣＰＵ１２１またはカメラ３０のＣＰＵ１５は、転送先のストロボ２の表示パネル１０５の表示性能や、あるいは無線の転送レートに応じた圧縮率で画像データを圧縮する。
【００６８】
また、ストロボが発光するには、発光用コンデンサ１２３が一定以上の電圧に到達する必要があることから、充電時間内に画像データの転送が可能な圧縮率を設定するのが好ましい。ストロボが発光可能になるまでの電圧と時間の関係を図１１（ａ）に示す。
【００６９】
図１１（ａ）において、発光用コンデンサ１２３の電圧がクイック発光電圧Ｖｑｆに到達するまでの時間がＴｑｆとなる。そして、フル発光可能電圧Ｖｆｌに達するまでの時間がＴｆｌとなる。
【００７０】
発光用コンデンサ１２３の電圧がクイック発光電圧Ｖｑｆやフル発光可能電圧Ｖｆｌに到達する時間は、ストロボの個体差により、例えば、図１１（ｂ）のように異なる。図１１（ｂ）の例では、クイック発光電圧Ｖｑｆに達するのが最も速い（Ｔｑｆ２）ものがストロボ１であり、一番遅い（Ｔｑｆ３）ものがストロボ３となる。
【００７１】
そこで、各ストロボが再度発光可能になるまでの時間（再発光可能時間）を算出し、無線通信により他のストロボから取得した再発光可能時間を比較して最も長い再発光可能時間に基づいて、画像データの転送可能な圧縮率を設定するように構成してもよい。
【００７２】
具体的には、図１の撮影システムにおいて、ストロボ１のＣＰＵ１２１が、ストロボ２，３から無線通信により各ストロボの再発光可能時間を取得し、取得したストロボ１〜３の再発光可能時間を比較する。そして、ストロボ１のＣＰＵ１２１は、再発光可能時間が最も長いものと、画像データの転送速度に基づいて、転送する画像データのサイズを決定し、当該サイズにより画像データの圧縮率を決定する。そして、決定した圧縮率により画像データを圧縮して転送を行う。
【００７３】
また、上限となる画像データの圧縮率を設定した上で、再発光可能時間にあわせた圧縮率で画像データを圧縮して転送する構成であってもよい。これにより、撮影者にストレスなく、テスト発光撮影の画像をストロボに転送することが可能である。
【００７４】
なお、上記第１乃至第３の実施形態におけるストロボは、ストロボ本体１０１に対する発光部１０２の照射方向を上下左右に変更可能な構成であったが、ストロボ本体１０１に対して発光部１０２の照射方向が固定されたストロボであっても構わない。
【００７５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７６】
１，２，３  照明装置
１０５  表示パネル
１０６  撮影ボタン
１０７  テスト発光撮影ボタン
１１５  カメラ通信部
１２１  ＣＰＵ
１２４  閃光発光部
１２５  無線通信部
【図１】
0005641805.tif 000002
【図２】
0005641805.tif 000003
【図３】
0005641805.tif 000004
【図４】
0005641805.tif 000005
【図５】
0005641805.tif 000006
【図６】
0005641805.tif 000007
【図７】
0005641805.tif 000008
【図８】
0005641805.tif 000009
【図９】
0005641805.tif 000010
【図１１】
0005641805.tif 000011
【図１０】
0005641805.tif 000012